(57)【要約】【課題】不正解錠をより確実に防止することができるサムターンを提供する。【解決手段】本発明のサムターンユニット１、固定部材１１と、固定部材１１と相対回転が可能である回転部材１０とを有し、回転部材１０には回転制御機構２３には、隣り合う一対のボタン４０、４１が設けられている。一対のボタン４０、４１のいずれか一方のみを押す場合には、ボタン４０、４１に挿通されたピン４０ｂ、４１ｂが凹部３５ｂに引っ掛かって、ボタン４０、４１の押動操作を阻止する。また、一対のボタン４０、４１の両方を押す場合には、回転部材１０の回転が可能となって施錠・解錠を行うことができる。【選択図】図３
2010024830.tif 000002
【特許請求の範囲】
【請求項１】
扉に取り付けられる固定部材と、前記固定部材と相対回転が可能であって外部に露出した回転部材とを有し、回転部材を回転させて施錠・解錠を行うことができるサムターンユニットにおいて、
前記回転部材には回転制御機構を有し、前記回転制御機構には、回転部材と固定部材との間の相対回転を阻止する回転阻止部と、外部に露出し、押動操作によって前記相対回転の阻止を解除することができる隣り合う一対のボタンが設けられ、一対のボタンのいずれか一方のみを押す場合にはボタンの押動操作を阻止し、一対のボタンの両方を押す場合にはボタンの押動操作を可能とするものであり、隣り合う一対のボタンを押しながら回転部材を回転させて施錠・解錠を行うことができるサムターンユニット。
【請求項２】
扉に取り付けられる固定部材と、前記固定部材と相対回転が可能であって外部に露出した回転部材とを有し、回転部材を回転させて施錠・解錠を行うことができるサムターンユニットにおいて、
前記回転部材には回転制御機構を有し、前記回転制御機構には、回転部材と固定部材との間の相対回転を阻止する回転阻止部と、外部に露出し、押動操作によって前記相対回転の阻止を解除することができる隣り合う一対のボタンが設けられ、
前記一対のボタンにはそれぞれ凹部及び貫通孔を有し、前記貫通孔には貫通孔よりも長いピンが挿通され、一対のボタンは回転部材に設けられた内側面に沿って移動するものであり、前記内側面には凹部が設けられ、一対のボタンのいずれか一方のみを押す場合には、当該ボタンに挿通されたピンが内側面の凹部に引っ掛かって、ボタンの押動操作を阻止するものであり、一対のボタンの両方を押す場合には、ボタンに挿通されたピンが、他方のボタンの凹部側に移動して、当該ボタンに挿通されたピンが内側面の凹部に引っ掛かからずにボタンの押動操作を可能とするものであり、隣り合う一対のボタンを押しながら回転部材を回転させて施錠・解錠を行うことができるサムターンユニット。
【請求項３】
隣り合う一対のボタンは２組設けられ、各組のボタンの押動方向は互いに反対方向であって互いに他の一対のボタンに向いていることを特徴とする請求項１又は２に記載のサムターンユニット。
【請求項４】
対向する位置にあるボタン同士の間には、ばねが設けられており、ボタンを外側に付勢するものであることを特徴とする請求項３に記載のサムターンユニット。
【請求項５】
固定部材にはスリットが設けられ、回転阻止部は前記スリットに配置されており、ボタンの押動操作によって、回転阻止部がスリットから脱出するように移動するものであることを特徴とする請求項１〜４のいずれかに記載のサムターンユニット。
【請求項６】
固定部材に保持されて突出方向に付勢された節度ピンを有し、回転部材には前記節度ピンの突出方向に深さが異なる周状の溝が設けられており、回転部材の回転によって前記節度ピンが溝に沿って相対移動するものであり、回転部材は所定の回転位置に向かう方向に回転力が発生することを特徴とする請求項１〜５のいずれかに記載のサムターンユニット。
【請求項７】
回転阻止部が設けられたロックアームを有し、隣り合う一対のボタンを押すことによりロックアームを揺動させて、回転部材及び固定部材の相対回転の阻止を解除するものであることを特徴とする請求項１〜６のいずれかに記載のサムターンユニット。
【発明の詳細な説明】
【技術分野】
【０００１】
本発明は、錠前などに用いられるサムターンユニットに関するものであり、特に、いわゆるサムターン回しと呼ばれる不正解錠の防止が可能なものに関するものである。
【背景技術】
【０００２】
従来より、扉などに取り付けられ、ロックボルトを出入りさせて施錠あるいは開錠を行う錠前が用いられている。このロックボルトの出入りは、摘み部材（サムターン）やシリンダー錠を回動させて行われる。通常、屋内側にはサムターンが設けられ、屋外側にはシリンダー錠が設けられ、屋外からの施解錠は鍵を用いて行われる。
【０００３】
扉が固定されている扉枠には、扉の側面から突出したロックボルトを収納可能な収納部が設けられている。そして、ロックボルトを収納部に出入りさせることにより施解錠が行われる。ロックボルトが収納部に入っている場合には施錠状態となり、収納部から出ている場合には開錠状態となる。
【０００４】
近年ドリル等で扉に穴を空けたり、扉と扉の取り付け枠との隙間から工具等を差し込み、摘み部材を回して不正開錠する、いわゆるサムターン回しという手口で家屋に侵入する犯罪が横行しており、社会的問題となっている。かかる問題を解決すべく、例えば下記特許文献１に示すように扉の摘み部材を囲む位置にサムターンカバーを設けることにより、いわゆるサムターン回しによる不正開錠を防止する方策が提案されている。
【０００５】
また、上記したサムターン回しによる不正開錠を防止すべく、下記特許文献２に示すような摘み部材を具備した錠前がある。特許文献２に開示されている摘み部材は、摘み部分が着脱可能であり、摘み部分を抜いておくことで不正開錠を防止するものである。
【先行技術文献】
【特許文献】
【０００６】
【特許文献１】特開２００３−０５６２１８号公報
【特許文献２】特開平１１−２００６７８号公報
【発明の概要】
【発明が解決しようとする課題】
【０００７】
上記した特許文献１に開示されているように、摘み部材の周囲にサムターンカバーを設ければ、扉に穴を空けたりして工具等を差し込んでも、その工具が摘み部材に到達し難い。そのため、摘み部材を特許文献１に開示されているようなサムターンカバーで保護すれば、扉の不正開錠を防止することができる。
【０００８】
しかし、上記したようにサムターンカバーを設ける場合、摘み部材の回動操作を行う度にサムターンカバーの蓋体を開ける必要がある。また、サムターンカバーで摘み部材を囲む場合、サムターンカバーで囲まれた領域内に指を入れて摘み部材の操作を行わねばならず、サムターンの操作が少なからず不自由になってしまう。さらに、サムターンカバーを設ける場合は、蓋体を閉じ忘れてしまうとサムターン回しに対する防犯効果が半減してしまうという問題点を有する。また、上記特許文献２のように摘み部材の摘み部分が着脱可能な構成とした場合も、摘み部分を抜き忘れてしまうとサムターン回しによる不正開錠に対する効果が全く発揮できないという問題がある。
【０００９】
かかる問題に鑑み、本発明は、通常時の施錠、開錠操作の操作性を維持しつつ、いわゆるサムターン回しに対処可能な防犯特性の高いサムターンの提供を目的とする。
【課題を解決するための手段】
【００１０】
上記した目的を達成すべく提供される請求項１に記載の発明は、扉に取り付けられる固定部材と、前記固定部材と相対回転が可能であって外部に露出した回転部材とを有し、回転部材を回転させて施錠・解錠を行うことができるサムターンユニットにおいて、前記回転部材には回転制御機構を有し、前記回転制御機構には、回転部材と固定部材との間の相対回転を阻止する回転阻止部と、外部に露出し、押動操作によって前記相対回転の阻止を解除することができる隣り合う一対のボタンが設けられ、一対のボタンのいずれか一方のみを押す場合にはボタンの押動操作を阻止し、一対のボタンの両方を押す場合にはボタンの押動操作を可能とするものであり、隣り合う一対のボタンを押しながら回転部材を回転させて施錠・解錠を行うことができるサムターンユニットである。
【００１１】
請求項１に記載のサムターンユニットによれば、施錠・解錠するには、隣り合う一対のボタンを押しながら回転部材を回転させなければならず、扉に孔を開けるなどして行う方法では不正解錠しにくい。
【００１２】
請求項２に記載の発明は、扉に取り付けられる固定部材と、前記固定部材と相対回転が可能であって外部に露出した回転部材とを有し、回転部材を回転させて施錠・解錠を行うことができるサムターンユニットにおいて、前記回転部材には回転制御機構を有し、前記回転制御機構には、回転部材と固定部材との間の相対回転を阻止する回転阻止部と、外部に露出し、押動操作によって前記相対回転の阻止を解除することができる隣り合う一対のボタンが設けられ、前記一対のボタンにはそれぞれ凹部及び貫通孔を有し、前記貫通孔には貫通孔よりも長いピンが挿通され、一対のボタンは回転部材に設けられた内側面に沿って移動するものであり、前記内側面には凹部が設けられ、一対のボタンのいずれか一方のみを押す場合には、当該ボタンに挿通されたピンが内側面の凹部に引っ掛かって、ボタンの押動操作を阻止するものであり、一対のボタンの両方を押す場合には、ボタンに挿通されたピンが、他方のボタンの凹部側に移動して、当該ボタンに挿通されたピンが内側面の凹部に引っ掛かからずにボタンの押動操作を可能とするものであり、隣り合う一対のボタンを押しながら回転部材を回転させて施錠・解錠を行うことができるサムターンユニットである。
【００１３】
請求項２に記載のサムターンユニットによれば、施錠・解錠するには、隣り合う一対のボタンを押しながら回転部材を回転させなければならず、扉に孔を開けるなどして行う方法では不正解錠しにくい。また、この一対のボタンにはそれぞれ凹部及び貫通孔を有し、前記貫通孔には貫通孔よりも長いピンが挿通され、一対のボタンは回転部材に設けられた凹部が設けられた内側面に沿って移動するものであり、一対のボタンのいずれか一方のみを押す場合には、当該ボタンに挿通されたピンが内側面の凹部に引っ掛かって、ボタンの押動操作を阻止するものであるので、構造を複雑にすることなく、押動操作の阻止を確実に行うことができる。
【００１４】
請求項３に記載の発明は、隣り合う一対のボタンは２組設けられ、各組のボタンの押動方向は互いに反対方向であって互いに他の一対のボタンに向いていることを特徴とする請求項１又は２に記載のサムターンユニットである。
【００１５】
請求項３に記載の発明によれば、隣り合う一対のボタンは２組設けられ、各組のボタンの押動方向は互いに反対方向であるので、２組のボタンを同時に押さなければ解錠することができないので不正解錠しにくく、また、通常の操作では、ボタンを両側から挟むようにして摘むことにより、全てのボタンを押すことができるので、通常のサムターンと同様に操作することができる。
【００１６】
請求項４に記載の発明は、対向する位置にあるボタン同士の間には、ばねが設けられており、ボタンを外側に付勢するものであることを特徴とする請求項３に記載のサムターンユニットである。
【００１７】
請求項４に記載の発明によれば、対向する位置にあるボタン同士の間には、ばねが設けられており、ボタンを外側に付勢するものであるので、操作しない場合の回転部材の回転阻止を確実に行うことができる。
【００１８】
請求項５に記載の発明は、固定部材にはスリットが設けられ、回転阻止部は前記スリットに配置されており、ボタンの押動操作によって、回転阻止部がスリットから脱出するように移動するものであることを特徴とする請求項１〜４のいずれかに記載のサムターンユニットである。
【００１９】
請求項５に記載の発明によれば、固定部材に設けられたスリットに、回転阻止部を配置して回転阻止を行うので、回転部材の回転阻止及び回転阻止の解除を確実に行うことができる。
【００２０】
請求項６に記載の発明は、固定部材に保持されて突出方向に付勢された節度ピンを有し、回転部材には前記節度ピンの突出方向に深さが異なる周状の溝が設けられており、回転部材の回転によって前記節度ピンが溝に沿って相対移動するものであり、回転部材は所定の回転位置に向かう方向に回転力が発生することを特徴とする請求項１〜５のいずれかに記載のサムターンユニットである。
【００２１】
請求項６に記載の発明によれば、固定部材に保持された節度ピンが、回転部材に設けられた溝に沿って相対移動して、回転部材は所定の回転位置に向かう方向に回転力が発生するので、不正解錠作業の際に、元の位置（施錠位置）に回転させて、より不正解錠を困難なものにすることができる。
【００２２】
また、回転阻止部が設けられたロックアームを有し、隣り合う一対のボタンを押すことによりロックアームを揺動させて、回転部材及び固定部材の相対回転の阻止を解除するものであってもよい（請求項７）。
【発明の効果】
【００２３】
本発明のサムターンによれば、不正解錠を確実に防止することができる。
【図面の簡単な説明】
【００２４】
【図１】本発明の第１の実施形態のサムターンユニットを示した斜視図である。
【図２】図１のサムターンユニットの分解斜視図である。
【図３】回転部材の分解斜視図である。
【図４】回転部材の本体部の斜視図であり、（ａ）は手前側から見た図であり、（ｂ）は扉側から見た図である。
【図５】回転部材の軸部及びスピンドルを示した斜視図である。
【図６】軸部の断面図である。
【図７】スピンドルの正面図である。
【図８】ボタン、ロックアーム及びスピンドルの動きを示した模式図であり、（ａ）は、ボタンを押さない状態を示した図、（ｂ）はボタンを押した状態を示した図である。
【図９】蓋部を示した斜視図である。
【図１０】蓋部を示したＢ−Ｂ断面での断面図である。
【図１１】固定部材を示したＥ−Ｅ断面での断面図である。
【図１２】カバーを示した一部断面斜視図である。
【図１３】ボタンを示した斜視図であり、（ａ）は隣り合う一対のボタンを押さない状態を示す図、（ｂ）は隣り合う一対のボタンの一方のみを押した状態を示す図である。
【図１４】隣り合う一対のボタンの断面図であり、（ａ）はＣ−Ｃ断面を示す図、（ｂ）はＤ−Ｄ断面を示す図である。
【図１５】隣り合う一対のボタンの断面図であり、（ａ）はＣ−Ｃ断面を示す図、（ｂ）はＤ−Ｄ断面を示す図である。
【図１６】隣り合う一対のボタンの断面図であり、（ａ）はＣ−Ｃ断面を示す図、（ｂ）はＤ−Ｄ断面を示す図である。
【図１７】隣り合う一対のボタンの断面図であり、（ａ）はＣ−Ｃ断面を示す図、（ｂ）はＤ−Ｄ断面を示す図である。
【図１８】回転部材の変形例を示す斜視図である。
【発明を実施するための形態】
【００２５】
以下さらに本発明の具体的実施例について説明する。図１は、本発明の第１の実施形態のサムターンユニットを示した斜視図である。図２は、図１のサムターンユニットの分解斜視図である。図３は、回転部材の分解斜視図である。図４は、回転部材の本体部の斜視図であり、（ａ）は手前側から見た図であり、（ｂ）は扉側から見た図である。図５は、回転部材の軸部及びスピンドルを示した斜視図である。図６は、軸部の断面図である。図７は、スピンドルの正面図である。図８は、ボタン、ロックアーム及びスピンドルの動きを示した模式図であり、（ａ）は、ボタンを押さない状態を示した図、（ｂ）はボタンを押した状態を示した図である。図９は、蓋部を示した斜視図である。図１０は、蓋部を示したＢ−Ｂ断面での断面図である。図１１は、固定部材を示したＥ−Ｅ断面での断面図である。図１２は、カバーを示した一部断面斜視図である。図１３は、ボタンを示した斜視図であり、（ａ）は隣り合う一対のボタンを押さない状態を示す図、（ｂ）は隣り合う一対のボタンの一方のみを押した状態を示す図である。図１４〜図１７は、隣り合う一対のボタンの断面図であり、（ａ）はＣ−Ｃ断面を示す図、（ｂ）はＤ−Ｄ断面を示す図である。図１８は、回転部材の変形例を示す斜視図である。
【００２６】
本発明の第１の実施形態におけるサムターンユニット１は、図１に示されており、シリンダー９１と共に扉９０に取り付けられて使用される。そして、サムターンユニット１の回転部材１０を回転させて、図示しないロックボルトを進退させることができる。なお、通常の場合と同様に、鍵９２により、シリンダー９１の機構部分を回転させることにより、図示しないロックボルトを進退させることもできる。
【００２７】
サムターンユニット１は、図２に示されるように、回転部材１０、固定部材１１、ばね１２、カラー１３が設けられている。そして、固定部材１１には、ネジ穴１９が設けられており、ネジ穴１９に図示しないネジを螺合することにより扉９０側に連結することができる。
【００２８】
回転部材１０は、図３に示されるように、キャップ２０、蓋部２１、本体部２２、回転制御機構２３、軸部２４、スピンドル２５を有している。
【００２９】
本体部２２は、図１に示されるように、使用状態で外部に露出する部分であり、使用者が回転させることができる部分である。また、図４（ａ）、（ｂ）に示されるように、本体部２２は円筒状の部材であり、内部空間２８を有し、両側に開口３１、３２が設けられている。そして、一方の開口３１側（図４（ａ）における左側、図４（ｂ）における右側）には、４ヵ所の切り欠き部２７と４ヵ所の突起部３３が設けられている。
【００３０】
切り欠き部２７は、開口３１から円筒の軸方向に延びるように形成されており、切り欠き部２７によって、内部空間２８と外部との間を貫通する。また、図４（ａ）に示されるように、切り欠き部２７は２ヵ所ずつが接近して、一対の切り欠き部２７を形成し、この一対の切り欠き部２７同士が１８０°回転対称となるような位置に設けられている。そして、この切り欠き部２７に、後述するボタン４０、４１が配置されている。
突起部３３は内部空間２８側に突出する突起である。そして、この突起部３３は内部空間２８内に配置される軸部２４の凹部４２に嵌るものである。
【００３１】
一方の開口３１側（図４（ａ）における左側）の端面には、軸方向にのびる角孔４５と丸孔４７が２ヵ所ずつ設けられている。
【００３２】
また、他方の開口３２側（図４（ａ）における右側）の端面には、周状に延びる４ヵ所の溝部３０が設けられている。各溝部３０は、周方向の中央付近の谷部３０ａが深く、周方向の端部が端面とほぼ等しい高さであり、場所によって深さが異なっている。そして、谷部３０ａに向かって傾斜してＶ字状となっている。そして、後述するように、固定部材１１と、本体部２２とが相対回転し、固定部材１１の節度ピン挿入孔７２内に配置された節度ピン４６が溝部３０を相対移動する場合に、ほぼ段差無く移動させることができる。また、溝部３０の谷部３０ａでは節度ピン４６が１番突出した状態となる。
【００３３】
軸部２４は、図５、図６に示されており、軸方向に貫通している内部空間３７が設けられた円筒状の部材である。そして、後述するように、軸部２４は本体部２２と連結されて一体化する。また、軸部２４には、大径部３５、小径部３６が設けられており、大径部３５の外径は小径部３６より大きい。
大径部３５は軸方向に垂直な方向の両側が開放しており、大径部３５の内側には、平面状の内側面３５ａが設けられている。内側面３５ａは２カ所設けられ、互いに平行な位置関係である。また、大径部３５の内側には、回転制御機構２３のボタン４０、４１が配置され、ボタン４０、４１は内側面３５ａによって、ガイドされる。
【００３４】
内側面３５ａには、軸方向に延びる凹部３５ｂが設けられている。凹部３５ｂは、それぞれの内側面３５ａに２カ所設けられ、合計４カ所設けられている。そして、ボタン４０、４１の貫通孔４０ａ、４１ａに挿入されるピン４０ｂ、４１ｂの先端が、凹部３５ｂに進入して、ボタン４０、４１の押動操作を阻止することができる。
また、軸部２４の大径部３５の端部には、ネジ穴３８が設けられている。また、ネジ穴３８付近には凹部４２が配置している。
【００３５】
小径部３６は筒状であり、胴部には周状溝４８が設けられている。また、小径部３６の内側の内部空間３７は、断面形状が円形のスピンドル挿入部３７ａと、断面形状が長方形状のロックアーム挿入部３７ｂが設けられている。
そして、スピンドル挿入部３７ａにスピンドル２５を挿入し、スピンドル挿入部３７ａを貫通する貫通孔３６ａにピン４９を挿入して、スピンドル２５を揺動可能に固定することができる。また、貫通孔３６ａは周方向に長い長孔状であるので、スピンドル２５と軸部２４との間で、少しだけ相対回転が可能である。
【００３６】
ロックアーム挿入部３７ｂにロックアーム４３を挿入し、ロックアーム挿入部３７ｂを貫通する貫通孔３６ｂにピン５２を挿入して、ロックアーム４３を揺動可能に固定することができる。
また、貫通孔３６ａ付近の位置には、貫通孔５０が設けられている。貫通孔５０は、貫通孔３６ａ及び軸方向にほぼ垂直に貫通する角状の孔である。
【００３７】
スピンドル２５は、軸方向の両端に、マイナス型凸部２５ａとプラス型凹部２５ｂが設けられたものであり、さらに、上記したピン４９が挿入される貫通孔２５ｃを有している。マイナス型凸部２５ａは、直線状に突出する部分である。そして、スピンドル２５を軸部２４に固定すると、軸部２４の回転力はスピンドル２５に伝達される。
また、マイナス型凸部２５ａは、２本のロックアーム４３の端部７５に挟まれている。そのため、スピンドル２５と軸部２４との間で相対回転すると、２本のロックアーム４３の端部７５同士が離れるように揺動し、回転阻止部５１が軸心側に移動する。
【００３８】
プラス型凹部２５ｂは、図７に示されるように、十文字状に凹部が形成された部分である。プラス型凹部２５ｂは所定の部材に係合することができ、この係合がされている状態で、スピンドル２５を回転させることにより、図示しないロックボルトが進入・退出して施錠・解錠を行うことができる。
また、上記した鍵９２を操作することによっても、図示しないロックボルトが進入・退出して施錠・解錠を行うことができるが、鍵９２による施錠・解錠の操作を行った場合には、この所定の部材を介してスピンドル２５を回転させることができる。そして、スピンドル２５を回転させることにより、軸部２４とスピンドル２５との間で相対回転して、２本のロックアーム４３の端部７５同士が離れるように揺動して回転阻止部５１が軸心側に移動し、回転部材１０の回転が阻止が解除されて回転部材１０が回転する。
【００３９】
回転制御機構２３には、図３に示すように、第１のボタン４０、第２のボタン４１、ロックアーム４３、ピン４０ｂ、４１ｂ、ばね５３、５４が設けられている。
第１のボタン４０は、幅狭部５８と幅狭部５８よりも幅の広い幅広部５９が設けられ、その境界には段部５７を有している。そして、幅広部５９には、断面円形の貫通孔４０ａと、円形の凹部４０ｃが設けられている。また、本体部２２の中心軸側には貫通孔５６が設けれており、後述するばね５３が挿入される。
【００４０】
第２のボタン４１は、第１のボタン４０と同じ形状に突起５５を設けたものである。そして、第２のボタン４１には、幅狭部５８と幅広部５９とを有し、幅広部５９には断面円形の貫通孔４１ａと、円形の凹部４１ｃが設けられている。また、突起５５の突出方向は、貫通孔４１ａの貫通方向に対して垂直な方向である。
突起５５は、ロックアーム４３側に突出するように配置されるものであり、第２のボタン４１が内側に移動すると、ロックアーム４３を揺動させることができる。突起５５は第２のボタン４１にのみ設けられており、第１のボタン４０には設けられていない。
【００４１】
第１のボタン４０及び第２のボタン４１は切り欠き部２７に配置されており、幅狭部５８が外側、幅広部５９が内側となっている。そして、後述するように、第１のボタン４０及び第２のボタン４１は、外側に向かって付勢されているが、段部５７が切り欠き部２７の間の棒状部２７ｂに引っ掛かるので、第１のボタン４０や第２のボタン４１は外れることはない。また、第１のボタン４０及び第２のボタン４１は別の部材であるので、一方のボタン４０、４１のみを押した場合には、他方のボタン４１、４０は移動しない。
【００４２】
また、第１のボタン４０及び第２のボタン４１は隣り合う状態で、回転部材１０の軸部２４に設けられた２つの内側面３５ａの間に配置されている。そして、ボタン４０、４１は内側面３５ａに沿って移動する。そのため、ボタン４０、４１の押動方向は、外側から内側に向かう方向である。
【００４３】
そして、隣り合う一対のボタン４０、４１は、押動操作しない状態では、図１３や図１４に示されるように、第１のボタン４０の貫通孔４０ａが、第２のボタン４１の凹部４１ｃと、凹部３５ｂとの間に位置し、また、第２のボタン４１の貫通孔４１ａが、第１のボタン４０の凹部４０ｃと、凹部３５ｂとの間に位置している。
【００４４】
ピン４０ｂ、４１ｂは丸棒状であって同じ形状である。そして、ピン４０ｂ、４１ｂの長さはボタン４０、４１の幅、すなわち、貫通孔４０ａ、４１ａの長さよりも長いものである。そのため、ピン４０ｂ、４１ｂは、貫通孔４０ａ、４１ａのいずれかからはみ出しており、他方のボタン４１、４０の凹部４１ｃ、４０ｃや内側面３５ａの凹部３５ｂに入った状態となっている。
【００４５】
ロックアーム４３は棒状の部材であり、突起状の回転阻止部５１と貫通孔７６が設けられている。そして、上記したように、軸部２４のピン５２を軸として揺動することができ、この揺動によって突起状の回転阻止部５１が移動する方向は、回転阻止部５１の突出方向である。このため、ロックアーム４３の揺動によって、回転阻止部５１の位置を変えることが可能である。
貫通孔７６の位置は、端部７５側に近い位置であり、回転阻止部５１から遠い位置である。
【００４６】
上記したボタン４０、４１、ロックアーム４３はそれぞれ２個ずつ設けられている。そして、本体部２２の一対の切り欠き部２７に、ボタン４０、４１とが隣り合う状態で配置され、全ての切り欠き部２７に、第１のボタン４０又は第２のボタン４１が配置される。また、２個の第２のボタン４１の突起５５の内側にロックアーム４３が配置しており、突起５５が内側に移動することによって、対応するロックアーム４３が揺動する。
隣り合う一対のボタン４０、４１は２組設けられるが、各組のボタン４０、４１の配置は、回転部材１０の中心に対して１８０°回転対称となるような配置であり、各組のボタン４０、４１の押動方向は、互いに反対方向であって、他の一対のボタン４０、４１に向いている。
【００４７】
図８は、ボタン４０、４１と、ロックアーム４３、固定部材１１の一部の位置関係を示したものである。
通常は、回転阻止部５１が固定部材１１のスリット７０に配置され、回転部材１０と固定部材１１との相対回転を阻止している。そして、隣り合う一対のボタン４０、４１を押して、第２のボタン４１の突起５５が内側に移動すると、貫通孔７６を軸心として回転して、ロックアーム４３の回転阻止部５１がスリット７０から脱出して内側に移動する。回転阻止部５１が内側に移動すると、スリット７０の内側へ移動し、回転部材１０と固定部材１１との相対回転を可能とすることができる。
【００４８】
ばね５３は、ボタン４０、４１を外側に向かって付勢するものである。そして、具体的には、中心軸に垂直な方向に互いに対向する位置に設けられたボタン４０、４１（隣に配置されていないもの）同士の間にばね５３が配置されている。また、ばね５４は、２個のロックアーム４３の間に設けられており、それぞれのロックアーム４３を外側に向かって付勢する。
したがって、通常の状態では、ボタン４０、４１及びロックアーム４３は外側に移動している。
【００４９】
蓋部２１は、本体部２２の突起部３３側に配置されるものであり、凹部２１ａを有する円盤状である。そして、円錐凹状部分を有する２ヵ所の貫通孔２１ｂと、２ヵ所の角孔２１ｃを有しており、貫通孔２１ｂは軸部２４のネジ穴３８に対応する位置に設けられ、角孔２１ｃは、本体部２２の角孔４５に対応する位置に設けられている。
【００５０】
また、図９、図１０に示されるように、蓋部２１の裏側（本体部２２側）には、突起６０、６１及び凹部６３が２ヵ所ずつ設けられている。突起６０は角状であり、角孔２１ｃの外側に設けられており、突起６１は、円状であり、本体部２２の丸孔４７に対応する位置に設けられている。凹部６３は一対の切り欠き部２７の間の棒状部２７ｂの先端２７ａに対応する位置に設けられている。
そして、蓋部２１が装着されると、突起６０が本体部２２の角孔４５に挿入され、突起６１が丸孔４７に挿入され、凹部６３が、本体部２２の一対の切り欠き部の間の棒状部２７ｂの先端２７ａが挿入される。
さらに、キャップ２０が蓋部２１の凹部２１ａに配置される。キャップ２０には、係合部２０ａが設けられ、係合部２０ａが２ヵ所の角孔２１ｃに挿入されて蓋部２１に固定される。
【００５１】
蓋部２１の貫通孔２１ｂにはネジ６２が挿通される。このネジ６２は、本体部２２の丸孔４７を通って軸部２４のネジ穴３８と螺合することができる。そして、本体部２２の突起部３３は、軸部２４の凹部４２に嵌って、蓋部２１と軸部２４との間に挟まるので、ネジ６２によって固定されると、蓋部２１、本体部２２、軸部２４は一体化し、本体部２２の回転が軸部２４に伝達される。
なお、回転制御機構２３のボタン４０、４１やロックアーム４３についても、軸部２４に連結されて、軸部２４と共に回転するので、本体部２２の回転と連動する。
【００５２】
固定部材１１は、図２、図１１に示されるように、小径部６５、大径部６７、偏心部６８を有している。
小径部６５は、円筒形状であり、軸方向に延びる４ヵ所のスリット７０が設けられている。そして、スリット７０の幅は、回転制御機構２３のロックアーム４３の回転阻止部５１の幅よりも大きく、回転阻止部５１がスリット７０に移動することができる。そして、回転阻止部５１がスリット７０に配置されている状態では、本体部２２の回転が阻止され、回転阻止部５１がスリット７０から内側に移動して、スリット７０に配置されていない状態となると本体部２２の回転が可能となる。スリット７０は９０°ごとに設けられている。
通常、ロックアーム４３は外側に付勢されて、回転阻止部５１がスリット７０に配置されているので、固定部材１１とロックアーム４３との間では相対回転不可である。
【００５３】
また、小径部６５の外径は、本体部２２の内径とほぼ同じかやや小さく、また、小径部６５の内径は、軸部２４の小径部３６と同じかやや大きい。そのため、小径部６５を本体部２２の内部空間２８の内側であって、軸部２４の外側に挿入することができる。
小径部６５には、径方向に貫通する貫通孔７１が設けられている。この貫通孔７１の位置は、軸部２４の周状溝４８の位置に対応している。そして、ピン７１ａを貫通孔７１に挿入して、ピン７１ａを周状溝４８に入れることにより、軸部２４と固定部材１１との間で、回転を可能にしながら、軸部２４や本体部２２が外れることを阻止することができる。
【００５４】
大径部６７には、フランジ部６６が設けられ、さらに節度ピン挿入穴７２が設けられている。
フランジ部６６は、コイル状のばね１２の付勢力を受ける部分であり、ばね１２は大径部６７の外側に配置して、固定部材１１は手前側（扉９０側とは反対側）に付勢される。
【００５５】
節度ピン挿入穴７２は、本体部２２側が開口して有底の丸穴であり、９０°おきに４ヵ所設けられている。そして、各節度ピン挿入穴７２には、節度ピン４６とばね７５が挿入されており、節度ピン４６は本体部２２側に向かって付勢されている。
ロックアーム４３の回転阻止部５１の回転位置がフランジ部６６の位置となっている場合には、節度ピン４６の回転位置が、図４（ｂ）で示される溝部３０の谷部３０ａの位置に合う状態である。
【００５６】
偏心部６８は外形が円形であるが、偏心部６８の中心軸は、小径部６５や大径部６７の中心軸に対してずれている。なお、固定部材１１には、軸部２４が挿入される部分である断面が円形状の内部空間７７が設けられているが、この内部空間７７の中心軸は小径部６５や大径部６７の中心軸と同じである。
また、固定部材１１を扉９０側に固定する際に用いられるネジ穴１９は、偏心部６８に設けられている。偏心部６８の形状は、扉９０の取付部分の形状に合わせられる。
【００５７】
カラー１３は、図２、図１２に示されるように、略円柱状の内部空間８０が設けられた部材である。また、この内径はばね１２の外径よりも大きく、ばね１２を挿入することができる。また、内部空間８０には、内側に突出する周状の突起８１が設けられ、固定部材１１のフランジ部６６と突起８１の間でばね１２を圧縮することができる。
【００５８】
次に、サムターンユニット１の使用方法について説明する。
上記したように、スピンドル２５のプラス型凹部２５ｂを回転させることにより、図示しないロックボルトを進退させて、施錠・解錠をすることができるが、全てのボタン４０、４１を押していない状態では、ロックアーム４３の回転阻止部５１がスリット７０に配置されているので、固定部材１１とロックアーム４３との間では相対回転不可となる。そして、図１に示すように外部に露出する回転部材１０に回転力を与えてもスピンドル２５は回転させることができず、施錠・解錠操作ができない。
【００５９】
そして、回転部材１０を回転させるためには、２個のロックアーム４３の回転阻止部５１を内側に移動させることが必要である。２個のロックアーム４３の回転阻止部５１を内側に移動させるには、２組の隣り合う一対のボタン４０、４１を同じように押すようにして、全てのボタン４０、４１を押した状態としなければならない。
すなわち、図１３（ａ）に示されるように、ボタン４０、４１に挿入されているピン４０ｂ、４１ｂは貫通孔４０ａ、４１ａからはみ出している。そのため、図１４に示されるように、通常の状態では、第２のボタン４１、第１のボタン４０の凹部４１ｃ、４０ｃ、又は、軸部２４の凹部３５ｂに進入した状態となっている。
【００６０】
そして、この隣り合うボタン４０、４１の一方のみを移動させた場合、貫通孔４０ａ、４１ａの位置は、ボタン４１、４０の凹部４１ｃ、４０ｃの位置とずれるので、図１３（ｂ）に示されるように、外側に突出しようとする。しかし、移動したボタン４０、４１の貫通孔４０ａ、４１ａの位置は、軸部２４の凹部３５ｂの位置とずれることとなり、外側への突出を許さない。そのため、ボタン４０、４１の下方への移動を不可能にする。
【００６１】
例えば、図１６に示されるように、第１のボタン４０のみを押すと、第２のボタン４１のピン４１ｂは、第１のボタン４０によって軸部２４の凹部３５ｂ方へと移動し、第２のボタン４１は下方へ移動できなくなる（図１６（ａ））。また、第１のボタン４０のピン４０ｂは、軸部２４の凹部３５ｂ及び第２のボタン４１の凹部４１ｃに引っ掛かって（図１６（ｂ））、第１のボタン４０のみを押すことができない。
【００６２】
図１７に示されるように、第２のボタン４１のみを押すと、第１のボタン４０のピン４０ｂは、第２のボタン４１によって軸部２４の凹部３５ｂ方へと移動し、第１のボタン４０は下方へ移動できなくなる（図１７（ａ））。また、第２のボタン４１のピン４１ｂは、軸部２４の凹部３５ｂ及び第１のボタン４０の凹部４０ｃに引っ掛かって（図１７（ｂ））、第２のボタン４０のみを押すことができない。
そして、いずれの場合にも、第２のボタン４１は移動できないため、突起５５の移動によって、ロックアーム４３の回転阻止部５１を内側に移動させることができない。
【００６３】
しかしながら、隣り合う一対のボタン４０、４１を同時に押した場合、図１５に示されるように、ボタン４０、４１の貫通孔４０ａ、４１ａに挿通されたピン４０ｂ、４１ｂは、ボタン４１、４０の凹部４１ｃ、４０ｃの位置が合った状態で移動する。そのため、上記した場合と異なり、ピン４０ｂ、４１ｂの位置が軸部２４の凹部３５ｂの位置と異なる位置であっても、ボタン４０、４１の位置を変更することができる。そして、隣り合うボタン４０、４１を同時に押すことにより、突起５５によってロックアーム４３が揺動し、回転阻止部５１が内側に移動する。
【００６４】
そして、２組の隣り合う一対のボタン４０、４１を押した状態、すなわち、全てのボタン４０、４１を押すと、固定部材１１のスリット７０に配置されていた２個のロックアーム４３の回転阻止部５１が内側に移動して、本体部２２と固定部材１１との間の相対回転が可能となる。
全てのボタン４０、４１を押した状態で、本体部２２を回転させることにより、軸部２４の先に設けられたスピンドル２５が回転して、施錠又は解錠することができる。
【００６５】
また、節度ピン４６が設けられており、節度ピン４６の回転位置が、図４（ｂ）で示される溝部３０の谷部３０ａの位置に合う状態となる回転方向に移動方向に向かうように回転力が発生する。そのため、本体部２２を回転させると、節度ピン４６のあった溝部３０から次の溝部３０へと相対回転し、さらに、節度ピン４６が図４（ｂ）に示される谷部３０ａに向かって自動的に回転する。また、回転し始めで、回転を中止した場合、節度ピン４６が最初にあった谷部３０ａへと戻る。
【００６６】
このように、本発明のサムターンユニット１では、全てのボタン４０、４１を押しながら本体部２２を回転させなければ、施錠又は解錠することができない。したがって、扉９０に貫通孔を開けて、その貫通孔に棒などを挿入し、その棒で本体部２２を回転させて不正解錠を行うことが困難となる。
隣り合うボタン４０、４１を同時に押さなければ、ボタン４０、４１を押すことができず、両側に設けられた４つのボタン４０、４１の全てを押しながら回転させることは、上記貫通孔に挿入した棒によっては困難である。また、仮に、４つのボタン４０、４１の全てを押せたとしても、この押した状態で節度ピン４６の相対位置が次の溝部３０まで回転させなければ、本体部２２の位置が元の状態に戻るため、上記した不正解錠の方法で、本発明のサムターンユニット１を解錠することは困難である。
【００６７】
また、外側から鍵９２を用いて施錠・解錠する場合には、上記したように、ボタン４０、４１を押すことなく回転部材１０を回転させることができる。すなわち、鍵９２の操作によりスピンドル２５を回転させると、回転し始めは軸部２４とスピンドル２５との間で相対回転するので、２本のロックアーム４３の端部７５同士が離れるように揺動して回転阻止部５１が軸心側に移動し、回転部材１０が回転可能となる。さらに、スピンドル２５を回転させることにより回転部材１０が回転する。
【００６８】
なお、上記したサムターンユニット１の節度ピン４６の付勢方向は軸方向であったが、径方向（中心軸に対して垂直な方向）に設けることができる。例えば、図１８に示されるような、回転部材１０'のように、外周方向に溝部８４を設けて、節度ピン４６を外側から内側に向かうように付勢することもできる。
【符号の説明】
【００６９】
１  サムターンユニット
１０、１０'  回転部材
１１  固定部材
２２  本体部
２３  回転制御機構
３０、８４  溝部
３５ａ  内側面
３５ｂ  凹部
４０、４１  ボタン
４０ａ、４１ａ  貫通孔
４０ｂ、４１ｂ  ピン
４０ｃ、４１ｃ  凹部
４３  ロックアーム
４６  節度ピン
５１  回転阻止部
５３  ばね
７０  スリット
【図１】
2010024830.tif 000003
【図２】
2010024830.tif 000004
【図３】
2010024830.tif 000005
【図４】
2010024830.tif 000006
【図５】
2010024830.tif 000007
【図６】
2010024830.tif 000008
【図７】
2010024830.tif 000009
【図８】
2010024830.tif 000010
【図９】
2010024830.tif 000011
【図１０】
2010024830.tif 000012
【図１１】
2010024830.tif 000013
【図１２】
2010024830.tif 000014
【図１３】
2010024830.tif 000015
【図１４】
2010024830.tif 000016
【図１５】
2010024830.tif 000017
【図１６】
2010024830.tif 000018
【図１７】
2010024830.tif 000019
【図１８】
2010024830.tif 000020
【手続補正書】
【提出日】平成21年11月4日(2009.11.4)
【手続補正１】
【補正対象書類名】明細書
【補正対象項目名】全文
【補正方法】変更
【補正の内容】
【発明の詳細な説明】
【技術分野】
【０００１】
本発明は、錠前などに用いられるサムターンユニットに関するものであり、特に、いわゆるサムターン回しと呼ばれる不正解錠の防止が可能なものに関するものである。
【背景技術】
【０００２】
従来より、扉などに取り付けられ、ロックボルトを出入りさせて施錠あるいは開錠を行う錠前が用いられている。このロックボルトの出入りは、摘み部材（サムターン）やシリンダー錠を回動させて行われる。通常、屋内側にはサムターンが設けられ、屋外側にはシリンダー錠が設けられ、屋外からの施解錠は鍵を用いて行われる。
【０００３】
扉が固定されている扉枠には、扉の側面から突出したロックボルトを収納可能な収納部が設けられている。そして、ロックボルトを収納部に出入りさせることにより施解錠が行われる。ロックボルトが収納部に入っている場合には施錠状態となり、収納部から出ている場合には開錠状態となる。
【０００４】
近年ドリル等で扉に穴を空けたり、扉と扉の取り付け枠との隙間から工具等を差し込み、摘み部材を回して不正開錠する、いわゆるサムターン回しという手口で家屋に侵入する犯罪が横行しており、社会的問題となっている。かかる問題を解決すべく、例えば下記特許文献１に示すように扉の摘み部材を囲む位置にサムターンカバーを設けることにより、いわゆるサムターン回しによる不正開錠を防止する方策が提案されている。
【０００５】
また、上記したサムターン回しによる不正開錠を防止すべく、下記特許文献２に示すような摘み部材を具備した錠前がある。特許文献２に開示されている摘み部材は、摘み部分が着脱可能であり、摘み部分を抜いておくことで不正開錠を防止するものである。
【先行技術文献】
【特許文献】
【０００６】
【特許文献１】特開２００３−０５６２１８号公報
【特許文献２】特開平１１−２００６７８号公報
【発明の概要】
【発明が解決しようとする課題】
【０００７】
上記した特許文献１に開示されているように、摘み部材の周囲にサムターンカバーを設ければ、扉に穴を空けたりして工具等を差し込んでも、その工具が摘み部材に到達し難い。そのため、摘み部材を特許文献１に開示されているようなサムターンカバーで保護すれば、扉の不正開錠を防止することができる。
【０００８】
しかし、上記したようにサムターンカバーを設ける場合、摘み部材の回動操作を行う度にサムターンカバーの蓋体を開ける必要がある。また、サムターンカバーで摘み部材を囲む場合、サムターンカバーで囲まれた領域内に指を入れて摘み部材の操作を行わねばならず、サムターンの操作が少なからず不自由になってしまう。さらに、サムターンカバーを設ける場合は、蓋体を閉じ忘れてしまうとサムターン回しに対する防犯効果が半減してしまうという問題点を有する。また、上記特許文献２のように摘み部材の摘み部分が着脱可能な構成とした場合も、摘み部分を抜き忘れてしまうとサムターン回しによる不正開錠に対する効果が全く発揮できないという問題がある。
【０００９】
かかる問題に鑑み、本発明は、通常時の施錠、開錠操作の操作性を維持しつつ、いわゆるサムターン回しに対処可能な防犯特性の高いサムターンの提供を目的とする。
【課題を解決するための手段】
【００１０】
上記した目的を達成すべく提供される請求項１に記載の発明は、扉に取り付けられる固定部材と、前記固定部材と相対回転が可能であって外部に露出した回転部材とを有し、回転部材を回転させて施錠・解錠を行うことができ、また、所定の鍵を用いても施錠・解錠を行うことができるサムターンユニットにおいて、前記回転部材には回転制御機構を有し、前記回転制御機構には、揺動可能なロックアームと、外部に露出し、押動操作によってロックアームを揺動させることができるボタンと、所定の鍵を用いることにより回転を行うことが可能なスピンドルとが設けられ、前記ロックアームには、回転部材と固定部材との間の相対回転を阻止する回転阻止部が設けられており、ボタンの押動操作、及び、スピンドルの回転操作のいずれかが行われた場合には、ロックアームが揺動し、前記相対回転の阻止を解除することができることを特徴とするサムターンユニットである。
【００１１】
【００１２】
請求項２に記載の発明は、ロックアームの回転阻止部は突起状であり、回転阻止部が固定部材のスリットに挿入して回転阻止が行われ、回転阻止部が内側に移動することによりスリットから脱出して回転阻止が解除されるものであることを特徴とする請求項１に記載のサムターンユニットである。
【００１３】
【００１４】
請求項３に記載の発明は、回転部材には軸部が設けられ、前記軸部は軸方向に貫通している内部空間が設けられた部材であり、ロックアームは前記内部空間に配置されて、軸部に対して揺動可能となっていることを特徴とする請求項１又は２に記載のサムターンユニットである。
【００１５】
【００１６】
【００１７】
【００１８】
【００１９】
【００２０】
【００２１】
【００２２】
【発明の効果】
【００２３】
本発明のサムターンによれば、不正解錠を確実に防止することができる。
【図面の簡単な説明】
【００２４】
【図１】本発明の第１の実施形態のサムターンユニットを示した斜視図である。
【図２】図１のサムターンユニットの分解斜視図である。
【図３】回転部材の分解斜視図である。
【図４】回転部材の本体部の斜視図であり、（ａ）は手前側から見た図であり、（ｂ）は扉側から見た図である。
【図５】回転部材の軸部及びスピンドルを示した斜視図である。
【図６】軸部の断面図である。
【図７】スピンドルの正面図である。
【図８】ボタン、ロックアーム及びスピンドルの動きを示した模式図であり、（ａ）は、ボタンを押さない状態を示した図、（ｂ）はボタンを押した状態を示した図である。
【図９】蓋部を示した斜視図である。
【図１０】蓋部を示したＢ−Ｂ断面での断面図である。
【図１１】固定部材を示したＥ−Ｅ断面での断面図である。
【図１２】カバーを示した一部断面斜視図である。
【図１３】ボタンを示した斜視図であり、（ａ）は隣り合う一対のボタンを押さない状態を示す図、（ｂ）は隣り合う一対のボタンの一方のみを押した状態を示す図である。
【図１４】隣り合う一対のボタンの断面図であり、（ａ）はＣ−Ｃ断面を示す図、（ｂ）はＤ−Ｄ断面を示す図である。
【図１５】隣り合う一対のボタンの断面図であり、（ａ）はＣ−Ｃ断面を示す図、（ｂ）はＤ−Ｄ断面を示す図である。
【図１６】隣り合う一対のボタンの断面図であり、（ａ）はＣ−Ｃ断面を示す図、（ｂ）はＤ−Ｄ断面を示す図である。
【図１７】隣り合う一対のボタンの断面図であり、（ａ）はＣ−Ｃ断面を示す図、（ｂ）はＤ−Ｄ断面を示す図である。
【図１８】回転部材の変形例を示す斜視図である。
【発明を実施するための形態】
【００２５】
以下さらに本発明の具体的実施例について説明する。図１は、本発明の第１の実施形態のサムターンユニットを示した斜視図である。図２は、図１のサムターンユニットの分解斜視図である。図３は、回転部材の分解斜視図である。図４は、回転部材の本体部の斜視図であり、（ａ）は手前側から見た図であり、（ｂ）は扉側から見た図である。図５は、回転部材の軸部及びスピンドルを示した斜視図である。図６は、軸部の断面図である。図７は、スピンドルの正面図である。図８は、ボタン、ロックアーム及びスピンドルの動きを示した模式図であり、（ａ）は、ボタンを押さない状態を示した図、（ｂ）はボタンを押した状態を示した図である。図９は、蓋部を示した斜視図である。図１０は、蓋部を示したＢ−Ｂ断面での断面図である。図１１は、固定部材を示したＥ−Ｅ断面での断面図である。図１２は、カバーを示した一部断面斜視図である。図１３は、ボタンを示した斜視図であり、（ａ）は隣り合う一対のボタンを押さない状態を示す図、（ｂ）は隣り合う一対のボタンの一方のみを押した状態を示す図である。図１４〜図１７は、隣り合う一対のボタンの断面図であり、（ａ）はＣ−Ｃ断面を示す図、（ｂ）はＤ−Ｄ断面を示す図である。図１８は、回転部材の変形例を示す斜視図である。
【００２６】
本発明の第１の実施形態におけるサムターンユニット１は、図１に示されており、シリンダー９１と共に扉９０に取り付けられて使用される。そして、サムターンユニット１の回転部材１０を回転させて、図示しないロックボルトを進退させることができる。なお、通常の場合と同様に、鍵９２により、シリンダー９１の機構部分を回転させることにより、図示しないロックボルトを進退させることもできる。
【００２７】
サムターンユニット１は、図２に示されるように、回転部材１０、固定部材１１、ばね１２、カラー１３が設けられている。そして、固定部材１１には、ネジ穴１９が設けられており、ネジ穴１９に図示しないネジを螺合することにより扉９０側に連結することができる。
【００２８】
回転部材１０は、図３に示されるように、キャップ２０、蓋部２１、本体部２２、回転制御機構２３、軸部２４、スピンドル２５を有している。
【００２９】
本体部２２は、図１に示されるように、使用状態で外部に露出する部分であり、使用者が回転させることができる部分である。また、図４（ａ）、（ｂ）に示されるように、本体部２２は円筒状の部材であり、内部空間２８を有し、両側に開口３１、３２が設けられている。そして、一方の開口３１側（図４（ａ）における左側、図４（ｂ）における右側）には、４ヵ所の切り欠き部２７と４ヵ所の突起部３３が設けられている。
【００３０】
切り欠き部２７は、開口３１から円筒の軸方向に延びるように形成されており、切り欠き部２７によって、内部空間２８と外部との間を貫通する。また、図４（ａ）に示されるように、切り欠き部２７は２ヵ所ずつが接近して、一対の切り欠き部２７を形成し、この一対の切り欠き部２７同士が１８０°回転対称となるような位置に設けられている。そして、この切り欠き部２７に、後述するボタン４０、４１が配置されている。
突起部３３は内部空間２８側に突出する突起である。そして、この突起部３３は内部空間２８内に配置される軸部２４の凹部４２に嵌るものである。
【００３１】
一方の開口３１側（図４（ａ）における左側）の端面には、軸方向にのびる角孔４５と丸孔４７が２ヵ所ずつ設けられている。
【００３２】
また、他方の開口３２側（図４（ａ）における右側）の端面には、周状に延びる４ヵ所の溝部３０が設けられている。各溝部３０は、周方向の中央付近の谷部３０ａが深く、周方向の端部が端面とほぼ等しい高さであり、場所によって深さが異なっている。そして、谷部３０ａに向かって傾斜してＶ字状となっている。そして、後述するように、固定部材１１と、本体部２２とが相対回転し、固定部材１１の節度ピン挿入孔７２内に配置された節度ピン４６が溝部３０を相対移動する場合に、ほぼ段差無く移動させることができる。また、溝部３０の谷部３０ａでは節度ピン４６が１番突出した状態となる。
【００３３】
軸部２４は、図５、図６に示されており、軸方向に貫通している内部空間３７が設けられた円筒状の部材である。そして、後述するように、軸部２４は本体部２２と連結されて一体化する。また、軸部２４には、大径部３５、小径部３６が設けられており、大径部３５の外径は小径部３６より大きい。
大径部３５は軸方向に垂直な方向の両側が開放しており、大径部３５の内側には、平面状の内側面３５ａが設けられている。内側面３５ａは２カ所設けられ、互いに平行な位置関係である。また、大径部３５の内側には、回転制御機構２３のボタン４０、４１が配置され、ボタン４０、４１は内側面３５ａによって、ガイドされる。
【００３４】
内側面３５ａには、軸方向に延びる凹部３５ｂが設けられている。凹部３５ｂは、それぞれの内側面３５ａに２カ所設けられ、合計４カ所設けられている。そして、ボタン４０、４１の貫通孔４０ａ、４１ａに挿入されるピン４０ｂ、４１ｂの先端が、凹部３５ｂに進入して、ボタン４０、４１の押動操作を阻止することができる。
また、軸部２４の大径部３５の端部には、ネジ穴３８が設けられている。また、ネジ穴３８付近には凹部４２が配置している。
【００３５】
小径部３６は筒状であり、胴部には周状溝４８が設けられている。また、小径部３６の内側の内部空間３７は、断面形状が円形のスピンドル挿入部３７ａと、断面形状が長方形状のロックアーム挿入部３７ｂが設けられている。
そして、スピンドル挿入部３７ａにスピンドル２５を挿入し、スピンドル挿入部３７ａを貫通する貫通孔３６ａにピン４９を挿入して、スピンドル２５を揺動可能に固定することができる。また、貫通孔３６ａは周方向に長い長孔状であるので、スピンドル２５と軸部２４との間で、少しだけ相対回転が可能である。
【００３６】
ロックアーム挿入部３７ｂにロックアーム４３を挿入し、ロックアーム挿入部３７ｂを貫通する貫通孔３６ｂにピン５２を挿入して、ロックアーム４３を揺動可能に固定することができる。
また、貫通孔３６ａ付近の位置には、貫通孔５０が設けられている。貫通孔５０は、貫通孔３６ａ及び軸方向にほぼ垂直に貫通する角状の孔である。
【００３７】
スピンドル２５は、軸方向の両端に、マイナス型凸部２５ａとプラス型凹部２５ｂが設けられたものであり、さらに、上記したピン４９が挿入される貫通孔２５ｃを有している。マイナス型凸部２５ａは、直線状に突出する部分である。そして、スピンドル２５を軸部２４に固定すると、軸部２４の回転力はスピンドル２５に伝達される。
また、マイナス型凸部２５ａは、２本のロックアーム４３の端部７５に挟まれている。そのため、スピンドル２５と軸部２４との間で相対回転すると、２本のロックアーム４３の端部７５同士が離れるように揺動し、回転阻止部５１が軸心側に移動する。
【００３８】
プラス型凹部２５ｂは、図７に示されるように、十文字状に凹部が形成された部分である。プラス型凹部２５ｂは所定の部材に係合することができ、この係合がされている状態で、スピンドル２５を回転させることにより、図示しないロックボルトが進入・退出して施錠・解錠を行うことができる。
また、上記した鍵９２を操作することによっても、図示しないロックボルトが進入・退出して施錠・解錠を行うことができるが、鍵９２による施錠・解錠の操作を行った場合には、この所定の部材を介してスピンドル２５を回転させることができる。そして、スピンドル２５を回転させることにより、軸部２４とスピンドル２５との間で相対回転して、２本のロックアーム４３の端部７５同士が離れるように揺動して回転阻止部５１が軸心側に移動し、回転部材１０の回転が阻止が解除されて回転部材１０が回転する。
【００３９】
回転制御機構２３には、図３に示すように、第１のボタン４０、第２のボタン４１、ロックアーム４３、ピン４０ｂ、４１ｂ、ばね５３、５４が設けられている。
第１のボタン４０は、幅狭部５８と幅狭部５８よりも幅の広い幅広部５９が設けられ、その境界には段部５７を有している。そして、幅広部５９には、断面円形の貫通孔４０ａと、円形の凹部４０ｃが設けられている。また、本体部２２の中心軸側には貫通孔５６が設けれており、後述するばね５３が挿入される。
【００４０】
第２のボタン４１は、第１のボタン４０と同じ形状に突起５５を設けたものである。そして、第２のボタン４１には、幅狭部５８と幅広部５９とを有し、幅広部５９には断面円形の貫通孔４１ａと、円形の凹部４１ｃが設けられている。また、突起５５の突出方向は、貫通孔４１ａの貫通方向に対して垂直な方向である。
突起５５は、ロックアーム４３側に突出するように配置されるものであり、第２のボタン４１が内側に移動すると、ロックアーム４３を揺動させることができる。突起５５は第２のボタン４１にのみ設けられており、第１のボタン４０には設けられていない。
【００４１】
第１のボタン４０及び第２のボタン４１は切り欠き部２７に配置されており、幅狭部５８が外側、幅広部５９が内側となっている。そして、後述するように、第１のボタン４０及び第２のボタン４１は、外側に向かって付勢されているが、段部５７が切り欠き部２７の間の棒状部２７ｂに引っ掛かるので、第１のボタン４０や第２のボタン４１は外れることはない。また、第１のボタン４０及び第２のボタン４１は別の部材であるので、一方のボタン４０、４１のみを押した場合には、他方のボタン４１、４０は移動しない。
【００４２】
また、第１のボタン４０及び第２のボタン４１は隣り合う状態で、回転部材１０の軸部２４に設けられた２つの内側面３５ａの間に配置されている。そして、ボタン４０、４１は内側面３５ａに沿って移動する。そのため、ボタン４０、４１の押動方向は、外側から内側に向かう方向である。
【００４３】
そして、隣り合う一対のボタン４０、４１は、押動操作しない状態では、図１３や図１４に示されるように、第１のボタン４０の貫通孔４０ａが、第２のボタン４１の凹部４１ｃと、凹部３５ｂとの間に位置し、また、第２のボタン４１の貫通孔４１ａが、第１のボタン４０の凹部４０ｃと、凹部３５ｂとの間に位置している。
【００４４】
ピン４０ｂ、４１ｂは丸棒状であって同じ形状である。そして、ピン４０ｂ、４１ｂの長さはボタン４０、４１の幅、すなわち、貫通孔４０ａ、４１ａの長さよりも長いものである。そのため、ピン４０ｂ、４１ｂは、貫通孔４０ａ、４１ａのいずれかからはみ出しており、他方のボタン４１、４０の凹部４１ｃ、４０ｃや内側面３５ａの凹部３５ｂに入った状態となっている。
【００４５】
ロックアーム４３は棒状の部材であり、突起状の回転阻止部５１と貫通孔７６が設けられている。そして、上記したように、軸部２４のピン５２を軸として揺動することができ、この揺動によって突起状の回転阻止部５１が移動する方向は、回転阻止部５１の突出方向である。このため、ロックアーム４３の揺動によって、回転阻止部５１の位置を変えることが可能である。
貫通孔７６の位置は、端部７５側に近い位置であり、回転阻止部５１から遠い位置である。
【００４６】
上記したボタン４０、４１、ロックアーム４３はそれぞれ２個ずつ設けられている。そして、本体部２２の一対の切り欠き部２７に、ボタン４０、４１とが隣り合う状態で配置され、全ての切り欠き部２７に、第１のボタン４０又は第２のボタン４１が配置される。また、２個の第２のボタン４１の突起５５の内側にロックアーム４３が配置しており、突起５５が内側に移動することによって、対応するロックアーム４３が揺動する。
隣り合う一対のボタン４０、４１は２組設けられるが、各組のボタン４０、４１の配置は、回転部材１０の中心に対して１８０°回転対称となるような配置であり、各組のボタン４０、４１の押動方向は、互いに反対方向であって、他の一対のボタン４０、４１に向いている。
【００４７】
図８は、ボタン４０、４１と、ロックアーム４３、固定部材１１の一部の位置関係を示したものである。
通常は、回転阻止部５１が固定部材１１のスリット７０に配置され、回転部材１０と固定部材１１との相対回転を阻止している。そして、隣り合う一対のボタン４０、４１を押して、第２のボタン４１の突起５５が内側に移動すると、貫通孔７６を軸心として回転して、ロックアーム４３の回転阻止部５１がスリット７０から脱出して内側に移動する。回転阻止部５１が内側に移動すると、スリット７０の内側へ移動し、回転部材１０と固定部材１１との相対回転を可能とすることができる。
【００４８】
ばね５３は、ボタン４０、４１を外側に向かって付勢するものである。そして、具体的には、中心軸に垂直な方向に互いに対向する位置に設けられたボタン４０、４１（隣に配置されていないもの）同士の間にばね５３が配置されている。また、ばね５４は、２個のロックアーム４３の間に設けられており、それぞれのロックアーム４３を外側に向かって付勢する。
したがって、通常の状態では、ボタン４０、４１及びロックアーム４３は外側に移動している。
【００４９】
蓋部２１は、本体部２２の突起部３３側に配置されるものであり、凹部２１ａを有する円盤状である。そして、円錐凹状部分を有する２ヵ所の貫通孔２１ｂと、２ヵ所の角孔２１ｃを有しており、貫通孔２１ｂは軸部２４のネジ穴３８に対応する位置に設けられ、角孔２１ｃは、本体部２２の角孔４５に対応する位置に設けられている。
【００５０】
また、図９、図１０に示されるように、蓋部２１の裏側（本体部２２側）には、突起６０、６１及び凹部６３が２ヵ所ずつ設けられている。突起６０は角状であり、角孔２１ｃの外側に設けられており、突起６１は、円状であり、本体部２２の丸孔４７に対応する位置に設けられている。凹部６３は一対の切り欠き部２７の間の棒状部２７ｂの先端２７ａに対応する位置に設けられている。
そして、蓋部２１が装着されると、突起６０が本体部２２の角孔４５に挿入され、突起６１が丸孔４７に挿入され、凹部６３が、本体部２２の一対の切り欠き部の間の棒状部２７ｂの先端２７ａが挿入される。
さらに、キャップ２０が蓋部２１の凹部２１ａに配置される。キャップ２０には、係合部２０ａが設けられ、係合部２０ａが２ヵ所の角孔２１ｃに挿入されて蓋部２１に固定される。
【００５１】
蓋部２１の貫通孔２１ｂにはネジ６２が挿通される。このネジ６２は、本体部２２の丸孔４７を通って軸部２４のネジ穴３８と螺合することができる。そして、本体部２２の突起部３３は、軸部２４の凹部４２に嵌って、蓋部２１と軸部２４との間に挟まるので、ネジ６２によって固定されると、蓋部２１、本体部２２、軸部２４は一体化し、本体部２２の回転が軸部２４に伝達される。
なお、回転制御機構２３のボタン４０、４１やロックアーム４３についても、軸部２４に連結されて、軸部２４と共に回転するので、本体部２２の回転と連動する。
【００５２】
固定部材１１は、図２、図１１に示されるように、小径部６５、大径部６７、偏心部６８を有している。
小径部６５は、円筒形状であり、軸方向に延びる４ヵ所のスリット７０が設けられている。そして、スリット７０の幅は、回転制御機構２３のロックアーム４３の回転阻止部５１の幅よりも大きく、回転阻止部５１がスリット７０に移動することができる。そして、回転阻止部５１がスリット７０に配置されている状態では、本体部２２の回転が阻止され、回転阻止部５１がスリット７０から内側に移動して、スリット７０に配置されていない状態となると本体部２２の回転が可能となる。スリット７０は９０°ごとに設けられている。
通常、ロックアーム４３は外側に付勢されて、回転阻止部５１がスリット７０に配置されているので、固定部材１１とロックアーム４３との間では相対回転不可である。
【００５３】
また、小径部６５の外径は、本体部２２の内径とほぼ同じかやや小さく、また、小径部６５の内径は、軸部２４の小径部３６と同じかやや大きい。そのため、小径部６５を本体部２２の内部空間２８の内側であって、軸部２４の外側に挿入することができる。
小径部６５には、径方向に貫通する貫通孔７１が設けられている。この貫通孔７１の位置は、軸部２４の周状溝４８の位置に対応している。そして、ピン７１ａを貫通孔７１に挿入して、ピン７１ａを周状溝４８に入れることにより、軸部２４と固定部材１１との間で、回転を可能にしながら、軸部２４や本体部２２が外れることを阻止することができる。
【００５４】
大径部６７には、フランジ部６６が設けられ、さらに節度ピン挿入穴７２が設けられている。
フランジ部６６は、コイル状のばね１２の付勢力を受ける部分であり、ばね１２は大径部６７の外側に配置して、固定部材１１は手前側（扉９０側とは反対側）に付勢される。
【００５５】
節度ピン挿入穴７２は、本体部２２側が開口して有底の丸穴であり、９０°おきに４ヵ所設けられている。そして、各節度ピン挿入穴７２には、節度ピン４６とばね７５が挿入されており、節度ピン４６は本体部２２側に向かって付勢されている。
ロックアーム４３の回転阻止部５１の回転位置がフランジ部６６の位置となっている場合には、節度ピン４６の回転位置が、図４（ｂ）で示される溝部３０の谷部３０ａの位置に合う状態である。
【００５６】
偏心部６８は外形が円形であるが、偏心部６８の中心軸は、小径部６５や大径部６７の中心軸に対してずれている。なお、固定部材１１には、軸部２４が挿入される部分である断面が円形状の内部空間７７が設けられているが、この内部空間７７の中心軸は小径部６５や大径部６７の中心軸と同じである。
また、固定部材１１を扉９０側に固定する際に用いられるネジ穴１９は、偏心部６８に設けられている。偏心部６８の形状は、扉９０の取付部分の形状に合わせられる。
【００５７】
カラー１３は、図２、図１２に示されるように、略円柱状の内部空間８０が設けられた部材である。また、この内径はばね１２の外径よりも大きく、ばね１２を挿入することができる。また、内部空間８０には、内側に突出する周状の突起８１が設けられ、固定部材１１のフランジ部６６と突起８１の間でばね１２を圧縮することができる。
【００５８】
次に、サムターンユニット１の使用方法について説明する。
上記したように、スピンドル２５のプラス型凹部２５ｂを回転させることにより、図示しないロックボルトを進退させて、施錠・解錠をすることができるが、全てのボタン４０、４１を押していない状態では、ロックアーム４３の回転阻止部５１がスリット７０に配置されているので、固定部材１１とロックアーム４３との間では相対回転不可となる。そして、図１に示すように外部に露出する回転部材１０に回転力を与えてもスピンドル２５は回転させることができず、施錠・解錠操作ができない。
【００５９】
そして、回転部材１０を回転させるためには、２個のロックアーム４３の回転阻止部５１を内側に移動させることが必要である。２個のロックアーム４３の回転阻止部５１を内側に移動させるには、２組の隣り合う一対のボタン４０、４１を同じように押すようにして、全てのボタン４０、４１を押した状態としなければならない。
すなわち、図１３（ａ）に示されるように、ボタン４０、４１に挿入されているピン４０ｂ、４１ｂは貫通孔４０ａ、４１ａからはみ出している。そのため、図１４に示されるように、通常の状態では、第２のボタン４１、第１のボタン４０の凹部４１ｃ、４０ｃ、又は、軸部２４の凹部３５ｂに進入した状態となっている。
【００６０】
そして、この隣り合うボタン４０、４１の一方のみを移動させた場合、貫通孔４０ａ、４１ａの位置は、ボタン４１、４０の凹部４１ｃ、４０ｃの位置とずれるので、図１３（ｂ）に示されるように、外側に突出しようとする。しかし、移動したボタン４０、４１の貫通孔４０ａ、４１ａの位置は、軸部２４の凹部３５ｂの位置とずれることとなり、外側への突出を許さない。そのため、ボタン４０、４１の下方への移動を不可能にする。
【００６１】
例えば、図１６に示されるように、第１のボタン４０のみを押すと、第２のボタン４１のピン４１ｂは、第１のボタン４０によって軸部２４の凹部３５ｂ方へと移動し、第２のボタン４１は下方へ移動できなくなる（図１６（ａ））。また、第１のボタン４０のピン４０ｂは、軸部２４の凹部３５ｂ及び第２のボタン４１の凹部４１ｃに引っ掛かって（図１６（ｂ））、第１のボタン４０のみを押すことができない。
【００６２】
図１７に示されるように、第２のボタン４１のみを押すと、第１のボタン４０のピン４０ｂは、第２のボタン４１によって軸部２４の凹部３５ｂ方へと移動し、第１のボタン４０は下方へ移動できなくなる（図１７（ａ））。また、第２のボタン４１のピン４１ｂは、軸部２４の凹部３５ｂ及び第１のボタン４０の凹部４０ｃに引っ掛かって（図１７（ｂ））、第２のボタン４０のみを押すことができない。
そして、いずれの場合にも、第２のボタン４１は移動できないため、突起５５の移動によって、ロックアーム４３の回転阻止部５１を内側に移動させることができない。
【００６３】
しかしながら、隣り合う一対のボタン４０、４１を同時に押した場合、図１５に示されるように、ボタン４０、４１の貫通孔４０ａ、４１ａに挿通されたピン４０ｂ、４１ｂは、ボタン４１、４０の凹部４１ｃ、４０ｃの位置が合った状態で移動する。そのため、上記した場合と異なり、ピン４０ｂ、４１ｂの位置が軸部２４の凹部３５ｂの位置と異なる位置であっても、ボタン４０、４１の位置を変更することができる。そして、隣り合うボタン４０、４１を同時に押すことにより、突起５５によってロックアーム４３が揺動し、回転阻止部５１が内側に移動する。
【００６４】
そして、２組の隣り合う一対のボタン４０、４１を押した状態、すなわち、全てのボタン４０、４１を押すと、固定部材１１のスリット７０に配置されていた２個のロックアーム４３の回転阻止部５１が内側に移動して、本体部２２と固定部材１１との間の相対回転が可能となる。
全てのボタン４０、４１を押した状態で、本体部２２を回転させることにより、軸部２４の先に設けられたスピンドル２５が回転して、施錠又は解錠することができる。
【００６５】
また、節度ピン４６が設けられており、節度ピン４６の回転位置が、図４（ｂ）で示される溝部３０の谷部３０ａの位置に合う状態となる回転方向に移動方向に向かうように回転力が発生する。そのため、本体部２２を回転させると、節度ピン４６のあった溝部３０から次の溝部３０へと相対回転し、さらに、節度ピン４６が図４（ｂ）に示される谷部３０ａに向かって自動的に回転する。また、回転し始めで、回転を中止した場合、節度ピン４６が最初にあった谷部３０ａへと戻る。
【００６６】
このように、本発明のサムターンユニット１では、全てのボタン４０、４１を押しながら本体部２２を回転させなければ、施錠又は解錠することができない。したがって、扉９０に貫通孔を開けて、その貫通孔に棒などを挿入し、その棒で本体部２２を回転させて不正解錠を行うことが困難となる。
隣り合うボタン４０、４１を同時に押さなければ、ボタン４０、４１を押すことができず、両側に設けられた４つのボタン４０、４１の全てを押しながら回転させることは、上記貫通孔に挿入した棒によっては困難である。また、仮に、４つのボタン４０、４１の全てを押せたとしても、この押した状態で節度ピン４６の相対位置が次の溝部３０まで回転させなければ、本体部２２の位置が元の状態に戻るため、上記した不正解錠の方法で、本発明のサムターンユニット１を解錠することは困難である。
【００６７】
また、外側から鍵９２を用いて施錠・解錠する場合には、上記したように、ボタン４０、４１を押すことなく回転部材１０を回転させることができる。すなわち、鍵９２の操作によりスピンドル２５を回転させると、回転し始めは軸部２４とスピンドル２５との間で相対回転するので、２本のロックアーム４３の端部７５同士が離れるように揺動して回転阻止部５１が軸心側に移動し、回転部材１０が回転可能となる。さらに、スピンドル２５を回転させることにより回転部材１０が回転する。
【００６８】
なお、上記したサムターンユニット１の節度ピン４６の付勢方向は軸方向であったが、径方向（中心軸に対して垂直な方向）に設けることができる。例えば、図１８に示されるような、回転部材１０'のように、外周方向に溝部８４を設けて、節度ピン４６を外側から内側に向かうように付勢することもできる。
【符号の説明】
【００６９】
１  サムターンユニット
１０、１０'  回転部材
１１  固定部材
２２  本体部
２３  回転制御機構
３０、８４  溝部
３５ａ  内側面
３５ｂ  凹部
４０、４１  ボタン
４０ａ、４１ａ  貫通孔
４０ｂ、４１ｂ  ピン
４０ｃ、４１ｃ  凹部
４３  ロックアーム
４６  節度ピン
５１  回転阻止部
５３  ばね
７０  スリット
【手続補正２】
【補正対象書類名】特許請求の範囲
【補正対象項目名】全文
【補正方法】変更
【補正の内容】
【特許請求の範囲】
【請求項１】
扉に取り付けられる固定部材と、前記固定部材と相対回転が可能であって外部に露出した回転部材とを有し、回転部材を回転させて施錠・解錠を行うことができ、また、所定の鍵を用いても施錠・解錠を行うことができるサムターンユニットにおいて、
前記回転部材には回転制御機構を有し、前記回転制御機構には、揺動可能なロックアームと、外部に露出し、押動操作によってロックアームを揺動させることができるボタンと、所定の鍵を用いることにより回転を行うことが可能なスピンドルとが設けられ、前記ロックアームには、回転部材と固定部材との間の相対回転を阻止する回転阻止部が設けられており、
ボタンの押動操作、及び、スピンドルの回転操作のいずれかが行われた場合には、ロックアームが揺動し、前記相対回転の阻止を解除することができることを特徴とするサムターンユニット。
【請求項２】
ロックアームの回転阻止部は突起状であり、回転阻止部が固定部材のスリットに挿入して回転阻止が行われ、回転阻止部が内側に移動することによりスリットから脱出して回転阻止が解除されるものであることを特徴とする請求項１に記載のサムターンユニット。
【請求項３】
回転部材には軸部が設けられ、前記軸部は軸方向に貫通している内部空間が設けられた部材であり、ロックアームは前記内部空間に配置されて、軸部に対して揺動可能となっていることを特徴とする請求項１又は２に記載のサムターンユニット。